Podtech/llm-jp-corpus-v4-ja_patent huggingface dataset:
(57)【要約】【課題】    無線を利用した脳の電気的活動信号を把握する装置を提供する。【解決手段】  脳の活動信号センサーと活動信号処理電子回路を設け、信号の無線送信部を設けた頭部取り付け具を設けていることと、さらに別に設けた無線信号受信部を有する受信信号処理表示用と学習教材課題提示用のコンピュータを設けた学習状態脳解析装置【選択図】図１
2012101021.tif 000002
【特許請求の範囲】
【請求項１】
脳の活動信号センサーと活動信号処理電子回路を設け、信号の無線送信部を設けた頭部取り付け具を設けていることと、さらに別に設けた無線信号受信部を有する受信信号処理表示用と学習教材課題提示用のコンピュータを設けたことを特徴とする学習状態脳解析装置
【発明の詳細な説明】
【技術分野】
【０００１】    本発明は脳の電気的活動信号を把握する装置に関するものである。
【背景技術】
【０００２】従来、人の脳の活動の状態を測定するのには脳波の測定やｆＭＲＩ、ＮＩＲＳなどを用いていた。
【発明の開示】
【発明が解決しようとする課題】
【０００３】  しかしこういった装置は大きさが大きく、また操作性においては機械的な複雑さがあった。また測定データの解析には専門的知識を要した。また、測定データの解析の処理用電子回路やコンピュータ部分が被測定者（学習者）の頭部につける脳活動信号測定センサーあるいは電極とは別に設置するものだった。したがってこの両者を接続するための電線が必要であり、このために被測定者は、測定機器と電線などで物理的につながっていることが必要であり、歩き回るにしてもその範囲が限定されるなどの欠点があった。
【課題を解決するための手段】
【０００４】  そこで、本発明では学習教材と対をなして構成する。機械的規模がコンパクトな脳の活動信号測定器によって構成した。構成は具体的に例えば、人が頭部につけるヘッドホーン状フレームの一部分に、脳の活動信号の増幅解析電気回路をモジュール状にして組み込み、さらにそれの一部分にはセンサーを付加し、前記モジュールにはセンサーで採取した脳の活動信号を電気信号的に解析できるよう処理した結果の信号として無線で発信できる機能を付加させる。そしてその発信信号を、別に離れた場所にある受信電気信号の処理および処理結果表示と学習課題提示用コンピュータを設けて構成する。このコンピュータには前記電気信号を受信する受信部をも設けておく。
被測定者がつける脳の脳波などの活動信号センサーは、ヘッドホーン状フレームなどに付加すれば人が装着しやすい。このセンサーは例えばヘルメット状の帽子の部分などに付加してもよい。このようにセンサー、脳の活動信号処理用電子回路モジュールを人の頭部にかぶるヘルメット状のフレームや、あるいはヘッドホーンがた型  フレ−ムの部分に取り付けることにより、従来からある脳波計のような脳の活動電気信号採取処理電気回路と人につける電極センサーの両者をケーブルで接続する必要がなくなる。また、学習者の学習課題提示用コンピュータと、この脳活動信号測定器の両者をセットにして組み合わせることが本考案の特徴となる。本考案は、学習者が学習時、頭部に装着する脳の活動信号採取センサーと、採取脳波などの脳活動信号処理用電子回路部、前記信号送信用無線発信機部、をともに合わせて組み込んだ頭部の取り付け具、さらには前記採取処理信号の受信部を付加した学習課題提示用コンピュータによって構成される。被測定者の脳の活動電気信号はセンサーでとらえ、さらに信号の解析処理用電子回路に処理され、無線送信信号になり、受信部に送られる。受信部では受けた無線信号をコンピュータで解析処理し、処理結果をコンピュータでまとめる。また学習教材提示には、コンピュータを用いることで大量かつリアルな学習教材の提示が可能となる。そしてこの学習教材提示用コンピュータと本発明の脳の脳波や活動信号の測定結果の処理、電気信号処理結果表示用コンピュータを同一のコンピュータで行うようなシステムにすれば一台のコンピュータで学習と、学習者の脳の活動電気信号の測定処理が行い得る。
【発明の効果】
【０００５】  学習者の頭部に脳活動信号採取センサー、信号処理、信号送信の各部を組み込んだ頭部取り付け具、そして別に前記処理信号受信部学習課題提示用と受信信号処理表示用コンピュータとをもうける組み合わせから構成された本発明によれば、学習者が測定用コンピュータに接続用電線によって物理的につながれることなく、学習と学習状態における脳の活動信号の測定が可能となり、人の学習時における脳の活動状態が電気的に測定できるという効果を得る。
【発明を実施するための最良の形態】
【０００６】実施の形態の説明。
脳の活動信号採取センサー１、無線データ発信部２、脳活動信号データ処理電子回路部３、人の頭部への取り付け具４、無線データ受信部５、学習教材提示および受信データ処理と表示用コンピュータ６、を設ける。本発明は学習者が本発明の頭部取り付け具を頭部分に装着し、センサーで受けた脳の活動電気的信号を無線でコンピュータに送り、被測定者の脳の活動信号を電気的に処理してコンピュータに表示する。
【図面の簡単な説明】
【０００７】
【図１】  本発明の頭部への取り付け具部分の断面図と信号受信側の外観図。
【符号の説明】
【０００８】１．活動信号採取センサー、２．無線データ発信部、３．脳活動信号データ処理電子回路部、４．人の頭部への取り付け具、５．無線データ受信部、６．学習教材提示および受信データ処理と表示用コンピュータ
【図１】
2012101021.tif 000003
(57)【要約】【課題】  従来の目のあんぽう器は、近赤外線などの光熱を利用したものであり、加湿はドライアイ眼鏡のような加湿のみを目的としたものである。このため、本格的な目のあんぽう器として温熱治療と加湿を同時に行えるものではなかった。【解決手段】  温熱効果が高く眼瞼への浸透力があるピーク波長が７００ｎｍの赤色ＬＥＤを実装した基板を発泡材で覆い、眼鏡レンズの内側に装着することにより目に密着させることができる。また、眼鏡のテンプルに加湿用の吸水材を取り付けることにより、温熱治療と加湿を同時に行うことができる。また、温熱電源をオフにして加湿器のみとして使用することもできる。これにより、ドライアイ用の加湿あんぽう治療器として提供することができる。【選択図】図１
2012101007.tif 000002
【特許請求の範囲】
【請求項１】
眼瞼の皮下組織に到達し吸収されるピーク波長が６３０ｎｍ〜７５０ｎｍの赤色の発光ダイオードの光熱と、連続気泡の吸水材を用いた加湿装置とを眼鏡に装着し、温熱治療と加湿を組み合わせたドライアイ用の加湿あんぽう器。
【発明の詳細な説明】
【技術分野】
【０００１】  本発明は、目のあんぽう器に加湿機能を加えた治療器に関する。
【背景技術】
【０００２】  従来の目のあんぽう器は、近赤外線を使用したものが用いられているが、赤色光と近赤外線を併用したあんぽう器もある（例えば、特許文献１参照）。
また、加湿機能を持たせたものとしてはドライアイ用眼鏡がある（例えば、特許文献２及び特許文献３参照）。【０００３】  また、従来の目のあんぽう器に使われていた近赤外線と比較して、ピーク波長が６３０ｎｍ〜７５０ｎｍの赤色光の方が生体皮膚への浸透力があり、皮下組織に到達するため温熱効果が高いとされている（例えば、非特許文献１参照）。
【特許文献１】  特願２００２−３８３０９４号
【特許文献２】  特開平１０−１７５９２０号  公開
【特許文献３】  特願２００９−２６２３２１号
【非特許文献１】  吉井  他：赤外放射の生体への作用と赤外放射利用暖房器  照明学会誌  ７４巻１２号  ｐ．２６〜２７  図２  １９９０年
【発明の開示】
【発明が解決しようとする課題】
【０００４】  従来の目のあんぽう器は、近赤外線や赤色光の光熱を利用したものであり、加湿するためにはドライアイ眼鏡のような加湿のみを目的とする手段を必要とするため、本格的な目のあんぽう器として温熱と加湿を併用できるものではなかった。【０００５】  本発明は、このような従来は別の手段を用いていた機能をひとつにして、ドライアイ治療の温熱と加湿を同時に行うことを目的とするものである。
【課題を解決するための手段】
【０００６】  本発明は上記目的を達成するために、温熱効果が高く眼瞼への浸透力があるピーク波長が７００ｎｍの赤色ＬＥＤを基板に実装し、その実装した基板を発泡材で覆い、眼鏡レンズの内側に装着するようにしたものである。【０００７】  また、第２の解決手段は、加湿用の吸水材を上記眼鏡のテンプルに取り付けられるようにしたものである。【０００８】  上記第１の課題解決手段による作用は次の通りである。すなわち、ピーク波長７００ｎｍの赤色ＬＥＤを実装した基板を発泡材で覆い、眼鏡レンズの内側に装着することにより目に密着させることができる。これにより、保温と温熱効果を高めることができる。【０００９】  また、第２の課題解決手段による作用は、加湿用の吸水材を眼鏡のテンプルに取り付けることにより、加湿と温熱治療を同時に行うことができ、さらに、加湿器のみとして使用することもできる。
【発明の効果】
【００１０】  上述したように本発明のドライアイ用加湿あんぽう器は、眼鏡の内側に温熱用の赤色ＬＥＤと眼鏡テンプルに加湿用の吸水材を装着することにより、温熱と加湿を同時に行うことができ、また、加湿器のみとしても使用できるドライアイ用の加湿あんぽう治療器として、提供することができる。
【発明を実施するための最良の形態】
【００１１】  以下、本発明の実施の形態を図１〜図２に基いて説明する。【００１２】  図においては、１はヒーターパッドで、赤色ＬＥＤ２を基板に実装したものを発泡材で覆ったものである。眼鏡３にヒーターパッド１を取り付け、スイッチボックス６を電源とする構成になっている。また、加湿チップ４は加湿チップホルダー５に装着され、加湿チップホルダー５は眼鏡３のテンプルに固定する構成となっている。【００１３】  ヒーターパッド１は、ピーク波長７００ｎｍの赤色ＬＥＤ２を１０本基板に実装し、断熱性のある軟質のスポンジで覆ったものである。スイッチボックス６は、ＡＣアダプター（図示せず）に接続され、５分間タイマー及びヒーターパッド１への電源のオンオフをコントロールする。【００１４】  加湿チップ４は、半円盤の形状で材質は吸水性と保水性の高い連続気泡のＰＶＡスポンジを使用する。加湿チップホルダー５は、弾性と保持力のある独立気泡のスポンジを使用することで、加湿チップ４との着脱を容易に行える。【００１５】  眼鏡３は、ヒーターパッド１の厚さがあるため、目と眼鏡レンズとの間隔に幅がある保護用眼鏡を使用する。この場合、使用者の鼻と保護用眼鏡の鼻パットが離れて使用できないため、代わりにヒーターパッド１を鼻パットとして使用する。【００１６】  以上、使用手順について説明する。吸水した状態の加湿チップ４を眼鏡３のテンプルの左右の加湿チップホルダー５に収納し、衛生面から目に直接触れないように左右のヒーターパッド１にラップフィルムを巻いてから眼鏡３を目に掛け、スイッチボックス６のスイッチをオンにする。５分間の温熱と加湿状態の治療が終わると自動的に電源がオフになる。【００１７】  また、加湿チップ４は吸水させることにより、繰り返し使用することができる。以上のように、赤色ＬＥＤの温熱によりマイボーム腺及び眼瞼を温めて血行を促進させ、同時に目の周りの湿度を促進維持させることで、ドライアイの症状を改善する治療器とすることができる。
【図面の簡単な説明】
【００１８】
【図１】  本発明の実施形態を示すドライアイ用加湿あんぽう器の外観の斜視説明図
【図２】  同加湿チップと加湿チップホルダーの斜視説明図
【符号の説明】
【００１９】  １  ヒーターパッド
２  赤色ＬＥＤ
３  眼鏡
４  加湿チップ
５  加湿チップホルダー
６  スイッチボックス
【図１】
2012101007.tif 000003
【図２】
2012101007.tif 000004
(57)【要約】【課題】００３】従来の電位治療器の計器の表示は針の位置で表示していたので容易に読み取れなかった。少し離れると読み取りにくく針がどの位置を指しているかは、近づいて見なくては分からなかった。また作動状態が確認が容易でないので安全でなかった。これらの不具合を解決する事を課題とした。【解決手段】この課題を解決するために請求項１の発明は電位治療器の作動状態を容易に把握する為にパネルの表面に計器の代わりにＬＥＤのイルミネーションを取り付けて容易に作動状態を認識できるようにしたものである。  この方法により電位治療器の作動状態を認識できるので安全に使用出来る。【選択図】図２
2012101020.tif 000002
【特許請求の範囲】
【請求項１】
：電位治療器の電圧計にＬＥＤのイルミネーションを用いたもの。
【発明の詳細な説明】
【技術分野】
【００１】本考案は電位治療器の電圧計にＬＥＤのイルミネーションを用いたもの。電圧計の表示を患者が安易に安心して感覚的に理解できる事を目的としたものである。
【背景技術】
【００２】従来は電圧計の内部の針の位置によって機器の状態を表示していた。
【考案が解決しようとする課題】
【００３】従来の電位治療器には計器の針によって表示していたが、表示の針がそれほど明確に見えないので少し離れると容易に認識できなかった。その為に使用者からは作動しているのかいないのかの不安があった。
【考案が解決しようとする手段】
【００４】そこで、遠くからでも機器の作動状態を安易に認識できるようにする為にＬＥＤのイルミネーションによって容易に認識できるようにした。（図２）この方法により作動状態を容易に認識出来る。
【考案の効果】
【０００５】よって本考案の方法により表示にＬＥＤのイルミネーションを使用する事により、従来の計器表示より容易に誰でも認識できるのでよって本考案により機器の作動状態がＬＥＤのイルミネーションの表示で容易に認識でき、機器の作動を停める必要が生じた時なども確実に確認ができるので安全性が大幅に向上する。
【発明を実施するための最良の形態】
【０００６】本考案にかかわる工法は計器をＬＥＤのイルミネーションに変えるだけで大幅な表示の認識と安全の効果を発揮する。本考案にかかわる工法は、図２に示すように計器をＬＥＤのイルミネーションに取り換えるだけである。
【図面の簡単な説明】
【０００７】
【図１】従来の電位治療器
【図２】本考案の電位治療器
【符号の説明】ａ  従来の電位治療器の計器
ｂ  本考案の電位治療器のＬＥＤのイルミネーション
【図１】
2012101020.tif 000003
【図２】
2012101020.tif 000004
(57)【要約】【課題】  調理用のお玉杓子が、自立できる補助器具を提供する。【解決手段】  少なくとも片方の長さが７ｃｍ以上３０ｃｍ以下であり、平均間隔が１ｃｍ以上５ｃｍ以下で、幅２ｃｍ以上１５ｃｍ以下の、２枚の平滑度を規定しない平板を、平行、又は、角度マイナス１０度からプラス３０度の間で固定したことを特徴とする。【選択図】図１
2012101012.tif 000002
【特許請求の範囲】
【請求項１】
少なくとも片方の長さが７ｃｍ以上３０ｃｍ以下であり、平均間隔が１ｃｍ以上５ｃｍ以下で、幅２ｃｍ以上１５ｃｍ以下の、２枚の平滑度を規定しない平板を、平行、又は、角度マイナス１０度からプラス３０度の間で固定したことを特徴とするお玉杓子自立器具。
【発明の詳細な説明】
【技術分野】
【０００１】  この発明は、お玉杓子自立器具に関するものである。
【背景技術】
【０００２】  調理器具のひとつであるお玉杓子は、日常的によく使われるものであるが、自立できないので、必要な時にすぐに手に取ることができず、調理人に無意識のストレスを与えてきた。そのため、自立させるための器具が種々考案されてきた。【０００３】  しかし、これまでに考案されてきたお玉杓子自立器具は、大きな設置場所を必要としたり、洗浄が難しいという問題点があった。また、使用できるお玉杓子の大きさが制限される等の問題点があった。
例えば、小皿に引っかかり部分を作る方式のものでは、お玉杓子の外形について、小皿の直径に依存する制限が存在する。また、立てかける方式のものは、ある程度の体積を占有するため、狭い調理台で邪魔になることもあった。
【発明の開示】
【発明が解決しようとする課題】
【０００４】  従来のお玉杓子自立器具は、設置面積や体積が大きいため、調理の邪魔になるという問題があった。また、一部のお玉杓子自立器具は、洗浄が難しいため、衛生上の問題点があった。更に、適用できるお玉杓子の大きさに制限があった。
【課題を解決するための手段】
【０００５】  少なくとも片方の長さが７ｃｍ以上３０ｃｍ以下であり、平均間隔が１ｃｍ以上５ｃｍ以下で、幅２ｃｍ以上１５ｃｍ以下の、２枚の平滑度を規定しない平板を、平行、又は、角度マイナス１０度からプラス３０度の間で固定すると、占有体積が小さく、洗浄も簡単になり、適用できるお玉杓子の大きさの制限が減少して、問題点を解決できる。
【発明の効果】
【０００６】  少なくとも片方の長さが７ｃｍ以上３０ｃｍ以下であり、平均間隔が１ｃｍ以上５ｃｍ以下で、幅２ｃｍ以上１５ｃｍ以下の、２枚の平滑度を規定しない平板を、平行、又は、角度マイナス１０度からプラス３０度の間で固定して、長い平板を下にして調理台などに置く。ここにお玉杓子を置き、上側の平板に引っかけるようにして、使用する。上側の平板で引っ掛けることにより、お玉杓子の転倒を防止し、下側の平板が長いことにより、お玉杓子と本発明品の組み合わせ全体の転倒を防止する。
また、下側平板は、調理台の上に置かれているので、その上に他の食器等を置くことができ、調理時に邪魔になる可能性を低下させ、狭い部分がない開放的な構造であるため、洗浄が簡単になる。
更に、寸法を上述のように規定したため、適用できるお玉杓子の大きさの制限を減少ささせることが可能となる。
【発明を実施するための最良の形態】
【０００７】  幅１０ｃｍで長さ５ｃｍの平板と、幅１０ｃｍで長さ２２ｃｍの平板を３ｃｍの間隔で平行に配置した構造である。材質はステンレスが望ましいが、特に制限はない。また、収納用の穴をあけることや、平板の厚さにも制限はない。
更に、上側平板と下側平板を接続する側板を曲面にすることも可能であり、その形態に制限はないし、平板の平滑度に制限はなく、凹凸があっても構わない。
【実施例】
【０００８】  実施例１として、長さ３０ｃｍ、幅１０ｃｍのステンレス板を、長さ５ｃｍ、３ｃｍ、２２ｃｍの３つの部分に、直角に折り曲げて、２枚の平行平板を形成した。この平行平板の間にお玉杓子を置いたところ、お玉杓子の杓子部分が上側平板に接触して、転倒が防止された。また、全体が転倒することもなく、各種の大きさのお玉杓子に適用できた。【０００９】  実施例２として、長さ３０ｃｍ、幅１０ｃｍのステンレス板を、上側平板の長さ５ｃｍ、下側平板の長さ２０ｃｍとし、その間を直径３ｃｍの半円筒状に折り曲げた。こうすると、２枚の平行に近い構造が形成された。この平行に近い平板の間にお玉杓子を置いたところ、お玉杓子の杓子部分が上側平板に接触して、転倒が防止された。また、全体が転倒することもなく、各種の大きさのお玉杓子に適用できた。
【図面の簡単な説明】
【００１０】
【図１】本発明の斜視図である。
【図２】本発明の側面図である。
【符号の説明】
【００１１】１  下側平板
２  上側平板
３  上側平板の長さ
４  幅
５  側板
６  下側平板の長さ
７  平均間隔
８  平板の角度
【図１】
2012101012.tif 000003
【図２】
2012101012.tif 000004
(57)【要約】      （修正有）【課題】周波数及び出力の調整が容易で静かなマッサージ振動を得るマッサージ器を提供する。【解決手段】骨伝導スピーカーをマッサージ器の振動子として適用する。まず、骨伝導スピーカーを粘着性の高い貼付剤等で患部もしくはつぼに貼り付ける。その上で上記骨伝導スピーカーに、症状にあった周波数及び出力の信号を送り振動させる。粘着性の高い貼付剤は市販のものが利用できる程度の本体強度を確保する。また、高出力に耐えうる骨伝導スピーカーが適する。【選択図】図２
2012101018.tif 000002
【特許請求の範囲】
【請求項１】
骨伝導スピーカーを吸盤もしくは貼付剤もしくは装着具で固定して使う音波治療器
【請求項２】
請求項１で利用する音波治療器用信号データ
【発明の詳細な説明】
【技術分野】
【０００１】  本発明は周波数及び出力の変更が可能で大音響を発しないマッサージ器を提供する。
【背景技術】
【０００２】  バイブレーターと呼ばれる治療器はその殆どがモーターによる駆動であり、出力を上げるということは回転数を上げる、つまり周波数を上げることに他ならない。さらに振動子とは別にモーター音の発生と、手で保持しなければならない欠点有り。【０００３】  骨伝導に関する特許は数多くあるが、この技術をマッサージ治療目的で利用するものは今のところ見当たらない。
【特許文献１】特開２００３−６１１７４
【発明の開示】
【発明が解決しようとする課題】
【０００４】  従来のバイブレーター式マッサージ器は周波数及び出力の調整が困難で、症状に見合った周波数及び出力の設定が困難な上にモーター音が大きいため使用に適さない場合がある。
【課題を解決するための手段】
【０００５】  本発明では骨伝導スピーカーをマッサージ器の振動子として利用することで上記課題を解決する。
【発明の効果】
【０００６】  マッサージ振動周波数及び出力の調整がほぼ無段階で調整可能になった。【０００７】  音が静かである。【０００８】  貼付鎮痛消炎剤、スピーカーマグネットの相乗効果も期待できる。
【発明を実施するための最良の形態】
【０００９】  高出力に耐えうる骨伝導スピーカーがこの場合適している。【００１０】  粘着性の高い貼付剤は市販のものが利用できる程度の本体強度を確保する。つまり、使用後の貼付剤からの離脱時に崩壊するようでは話にならない。【００１１】  骨伝導スピーカーを粘着性の高い貼付剤等で患部もしくはつぼに貼り付ける。【００１２】  上記骨伝導スピーカーに、症状にあった周波数及び出力の信号を送り振動させる。
【実施例】
【００１３】  上記装置は骨伝導スピーカーと、信号を記録したＣＤ等と市販のＣＤプレーヤー等を用いてもよい。
【図面の簡単な説明】
【００１４】
【図１】本発明に係る音波治療器の構成である
【図２】本発明に係る音波治療器の実施例を表す
【符号の説明】
【００１５】      ▲１▼骨伝導スピーカー
▲２▼ジョイント
▲３▼延長コード
▲４▼音波増幅器
▲５▼患部に貼付剤にて骨伝導スピーカーを装着
▲６▼トイレ時等、長いコードを持ち歩かないためのジョイント部分
▲７▼延長コードを介して音波増幅器に繋がれる
【図１】
2012101018.tif 000003
【図２】
2012101018.tif 000004
(57)【要約】【課題】  スニーカー、運動靴、長靴、地下足袋、田靴などを洗浄する場合、内部を洗浄することが、不便であり、困難であったものを洗浄液の流力で内部全体及び外部も手軽に洗浄することを可能にした靴洗浄具を得る。【解決手段】  洗浄液２を入れた洗濯層１に洗浄したい靴５を設置し、この洗濯槽１の底に設置された水中ポンプ３の第１の吐出口３ａに接続されたホース４の先端から上記洗浄液２を靴５の内部に噴出させ、第２の吐出口３ｂから上記洗浄液２を噴出させ洗濯槽１内の洗浄液２全体も攪拌させ靴５の外部も洗浄し靴５が浮き上がる事を防止する押さえ板６を有することを特徴とする靴洗浄具。【選択図】図１
2012101013.tif 000002
【特許請求の範囲】
【請求項１】
本発明の靴洗浄具は、洗浄液を入れた洗濯槽と、この洗濯槽の底に設置された水中ポンプと、一端がこの水中ポンプの第１の吐出口に接続されたホースとを備え上記ホースの先端から上記洗浄液を靴の内部に噴出することを特徴とする靴洗浄具。
【請求項２】
上記水中ポンプに、洗濯槽の洗浄液全体を攪拌するための第２の吐出口を備えたことを特徴とする請求項１記載の靴洗浄具。
【請求項３】
洗浄用の靴が浮き上がらないために押さえ板を備えたことを特徴とする請求項１または２記載の靴洗浄具。
【請求項４】
請求項３記載の押さえ板に任意の大きさとゼロを含む任意の数の孔が設けられていることを特徴とする請求項１または２記載の靴洗浄具。
【発明の詳細な説明】
【技術分野】
【０００１】  本発明は、スニーカー、運動靴、長靴、地下足袋、田靴など、洗浄しにくい靴の内部及び外部をも洗浄する靴洗浄具に関するものである。
【背景技術】
【０００２】  スニーカーなどの靴の内部を洗浄するには、たわしや取っ手付きブラシでこすり落していたが、届かない部分があり、手間や時間や労力を要した。
また、洗濯機や靴専用洗濯機で洗うと外部は洗浄できるが、清潔さを求めたい内部の洗浄は不十分であったし、靴が傷みやすかった。
また、地下足袋や田靴は、丈が柔らかく、内部の洗浄は一層困難であった。
また、特許文献１では、靴紐をはずしたり、把持部材を手で押し付ける方法だと手間や労力を要し、先端のブラシを靴先内部全体に当てることは不可能に近く、靴紐やタンなどで重なった部分まで洗浄できないし、丈の長い長靴や地下足袋や田靴には使えなかった。
【先行技術文献】
【特許文献】
【０００３】
【特許文献１】特許公開  ２００７−１１１４４６号広報
【発明の概要】
【発明が解決しようとする課題】
【０００４】  スニーカー、運動靴、長靴、地下足袋、田靴などの内部を洗浄するために、たわしや手付きブラシなどでこすり落としていたが、届かない部分があり、手間や時間や労力を要したので、靴の内部のブラシが届かなかった部分まで洗浄しようとするものである。
また、洗濯機等で洗うと外部は洗浄できるが、清潔さを求めたい内部の洗浄は不十分であったし、靴が傷みやすかったので、内部を洗浄し、痛まないようにするものである。
また、靴紐を外したり、把持部材を手で押し付ける方法だと手間や労力を要し、先端のブラシを靴先内部全体に当てることは不可能に近く、靴紐やタンなどで重なった部分まで洗浄できなかったので、靴先内部全体や靴紐やタン等で重なった部分まで洗浄できるようにするものである。
また、長靴、地下足袋、田靴など丈の長い靴類も洗浄しようとするものである。
【課題を解決するための手段】
【０００５】  本発明の靴洗浄具は、洗浄液を入れた洗濯槽と、この洗濯槽の底に設置された水中ポンプと、この水中ポンプの第１の吐出口に接続されたホースとを備え上記ホースの先端から上記洗浄液を靴の内部に噴出するものである。【０００６】  また、上記水中ポンプに、洗濯槽の洗浄液全体を攪拌するために第２の吐出口を備えたものである。【０００７】  また、洗浄しようとする靴が浮き上がらないために押さえ板を備えたものである。
【発明の効果】
【０００８】  本発明の靴洗浄具は、上記説明のように構成されているので、以下に示すような効果を奏する。【０００９】  本発明の靴洗浄具は、主に靴内部の汚れを、たわしやブラシでは届きにくい部分や靴紐やタンで狭くなっている部分も洗浄液の流力で落とすことができるようにしたものである。【００１０】  靴を洗濯機類で洗っていた場合と比べると、洗濯機は靴の内部への洗浄液流入が不充分であるが故に、汚れ落ちが不足し、靴を攪拌したので痛みやすかったが、本発明のように、洗浄液を水中ポンプで水流を起こすだけなので、靴を痛めることなく細部まで洗浄することができる。【００１１】  なお、すすぎも洗浄液に代えて、すすぎ水を使うことで同様に行える。
【図面の簡単な説明】
【００１２】
【図１】本発明の靴洗浄具を示す側面部分断面図である。
【図２】本発明の靴洗浄具を示す平面図である。
【図３】本発明の靴洗浄具の押さえ板を示す図である。
【発明を実施するための形態】
【実施例１】
【００１３】  図１は、この発明の一実施例を示す靴洗浄具の側面部分断面図である。図２は、図１の平面図であり、押さえ板を省略した図である。図３は、押さえ板を示す図であり、（Ａ）は側面図、（Ｂ）は平面図である。
図において、１は洗濯槽であり、洗浄液２が満たされている。３は水中ポンプであり、２個の第１の吐出口３ａと１個の第２の吐出口３ｂが設けられ、洗濯槽１の底に設置されている。４はホースであり、一端が第１の吐出口３ａに接続されている。【００１４】  ５は、洗浄する靴であり、ホース４の先端が靴５の内部に導入されている。６は、靴を沈下させる押さえ板であり、図３に示すように、押さえ板６には孔６ａが設けられていることが望ましい。  図３では孔６ａが３個図示されているが、その大きさと数はゼロを含み任意である。【００１５】  このように構成された靴洗浄具の使用方法を図１、図２に基づき説明する。
先ず、図１に示すように、洗濯槽１の中に、洗浄する靴５を置く。
次に、靴５の内部にホース４の先端部を挿入し、靴５が浮き上がらないように、靴５の上に押さえ板６を載せる。
次に、洗浄液２を入れて、水中ポンプ３の図示しない電源をＯＮにして、水中ポンプを駆動すると、第１の吐出口３ａ及び第２の吐出口３ｂから洗浄液２が噴出し、第１の吐出口３ａからホース４を介して靴５の内部に洗浄液２が噴出され、靴５の内部が流力で洗浄される
また、水中ポンプ３に第２の吐出口３ｂを設けたことにより洗濯槽１内の洗浄液２が攪拌され、靴５の外部がさらに洗浄されるため好ましい。【００１６】  洗浄液２の流力により、靴５の内部などブラシが届かなかった部分や図示しない靴紐やタン９などで重なった狭い部分まで洗浄することができる。
【符号の説明】
【００１７】    １  洗濯槽、２  洗浄液、３  水中ポンプ、３ａ  第１の吐出口、３ｂ  第２の吐出口  ４  ホース、５  靴、６  押さえ板、７  洗浄液面、  ８  電気コード（全体は図示しない）  ９  タン
【図１】
2012101013.tif 000003
【図２】
2012101013.tif 000004
【図３】
2012101013.tif 000005
(57)【要約】【課題】    ブレーキペダルに靴等が引っかかっても、あわてずスムーズにブレーキペダルを踏めるように折り曲がりすぐ元に戻るブレーキペダルを提供する。【解決手段】ブレーキペダル（１）の右側３分の１を切断し、また揃え合わせ表側に折り曲がる金具（２）を設け、裏側に引き戻しのバネ（３）を設けた。折り曲がり、すぐに元に戻るブレーキペダルを特徴とする。【選択図】図１
2012101776.tif 000002
【特許請求の範囲】
【請求項１】
ブレーキペダルの（１）に切断面を入れ表側に手前に折り曲げるための金具（２）を設け裏側に元に引き戻すためのバネ（３）を設けた。手前に折り曲げすぐに元に戻るフットブレーキペダル。
【発明の詳細な説明】
【技術分野】
【０００１】  この発明は車の運転中、とっさの時にブレーキペダルに靴等が引っかかった場合に折り曲がりすぐに元に戻るフットブレーキペダルに関するものである。
【背景技術】
【０００２】  従来フットブレーキペダルはペダル全体がアームに固定され、ペダル自体、折り曲がるものではない。
【先行技術文献】
【０００３】
【発明の概要】
【発明が解決しようとする課題】
【０００４】  これは、次のような欠点があった。
アクセルペダルからブレーキペダルへ足が移動するさいに、特にオートマチック車はブレーキペダルが大きいので、靴等のフジの部分等がブレーキペダルの端に引っかかり、あわてる場合や踏み込みが遅れる場合があった。
本発明は、以上のような欠点をなくすためになされたものである。
【課題を解決するための手段】
【０００５】  ブレーキペダル（１）の表側に折り曲がる金具（２）を取り付け、裏側に引き戻すためのバネ（３）をつける。
本発明は以上の構成によりなる引っかかっても折り曲がり、すぐに元に戻るフットブレーキペダルである。
【発明の効果】
【０００６】  足をアクセルペダルからブレーキペダルへ移動するさいにブレーキペダルに靴等が引っかかっても折り曲がり、すぐに元に戻るため、あわてず、スムーズにペダルを踏むことができる。
【図面の簡単な説明】
【０００７】
【図１】  本発明の平面図である
【図２】  本発明の曲がった状態の斜視図である。
【発明を実施するための形態】
【０００８】  以下、本発明を実施するための最良の形態について説明する。
ブレーキペダル（１）を右側より３分の１を切断し、その後、また切断面を揃え合わせて、その表側に手前に折り曲げるための金具（２）を設ける。裏側には元に引き戻すためのバネ（３）を設ける。
本発明は以上のような構造である。
これを使用するときはブレーキペダルの裏側の中央部分をブレーキアームに固定すればよい。
【符号の説明】
【０００９】１  フットブレーキペダル
２  金具
３  バネ
【図１】
2012101776.tif 000003
【図２】
2012101776.tif 000004
(57)【要約】【課題】この発明は、ペットボトルのキャップに半球状の突起を設け、力の弱い人でも開けやすくなることを提供する。【解決手段】ペットボトルキャップ（１）に半球状の突起（２）を付けることにより、テコの作用が働き、回す力が大きくなる力の弱い人でも開けやすいペットボトルキャップである。【選択図】図１
2012101850.tif 000002
【特許請求の範囲】
【請求項１】
ペットボトルのキャップ（１）に半球状の突起（２）を設けた、力の弱い人でも空けやすいペットボトルキヤップ。
【発明の詳細な説明】
【技術分野】
【０００１】  この発明は、ペットボトルキャップに、半球状の突起を設けた、力の弱い人でも開けやすいペットボトルキャップに関するものである。
【背景技術】
【０００２】  従来、ペットボトルキャップは、周りのギザギザ面のみを押し回すため、滑りやすく、力の弱い子供やお年寄りなどは、回しにくかった。
【先行技術文献】
【０００３】
【特許文献１】
【非特許文献１】
【発明の概要】
【発明が解決しようとする課題】
【０００４】  次のような問題点が生じていた。
（イ）ペットボトルキャップは、押し回す握力が必要とするため、力の弱い人には            開けにくかった。
本発明は、以上の問題点を解決したものである。
【課題を解決するための手段】
【０００５】  ペットボトルキャップ（１）に半球状の突起（２）を付けることによりテコの作用が働き、回す力が大きくなる、力の弱い人でも開けやすいペットボトルキャップである。
【発明の効果】
【０００６】  したがって、キャップに半球状の突起が付くことによりこの部分に、より力が入りやすくなり、小さな力でも開けやすくなる。
【図面の簡単な説明】
【０００７】
【図１】  本発明の斜視図である。
【図２】  本発明の断面図である。
【発明を実施するための形態】
【０００８】  以下、本発明の実施の形態について説明をする。
（イ）ペットボトルキャップ（１）に半球状の突起（２）を付ける。
以下、使用方法について説明する。
従来はペットボトルキャップ（１）の周りのギザギザの摩擦や握力にたより回してい    たが、半球状の突起（２）を付けることにより、テコの作用を利用して回しやすくな    る。
【符号の説明】
【０００９】  １  ペットボトルキャップ
２  半球状の突起
【図１】
2012101850.tif 000003
【図２】
2012101850.tif 000004
(57)【要約】【課題】  包装用袋において、封緘作業の簡素化、蓋部の圧力不足による蓋開、挿入商品のこぼれだし、開閉自在を課題とする。【解決手段】  包装用袋において、第１パネルの上部を第２パネルの上部より上方に延ばし蓋部第３パネルを設ける。  上記第３パネルを第１パネルと第２パネルの間に挟まる方法で折り曲げられた袋の第３パネルの上部外面に袋幅方向に粘着剤を塗布する、さらに、粘着剤塗布面に剥離テープを貼り付ける。  開閉自在の手段として、第３パネルに粘着剤を使用する。【選択図】図３
2012101853.tif 000002
【特許請求の範囲】
【請求項１】
包装用袋において、包装用袋部材によって形成された、第１パネルと第２パネルが、互いに重ね合わされた状態で両側部どうし、および、底部が接続された包装用袋において、
第１パネルの上部を第２パネルの上部より上方に延ばし、蓋部第３パネルを設ける。
上記第３パネルを第１パネルと第２パネルの間に挟まる方法で折り曲げられた包装用袋であって、
上記第３パネルの上部外面に袋幅方向に粘着剤を塗布する、さらに、粘着剤塗布面に剥離テープを貼り付けられたことを特徴とする包装用袋。
【発明の詳細な説明】
【発明の詳細な説明】
【技術分野】
【０００１】  本発明は、包装用袋の封緘作業の簡素化と、開閉自在包装用袋に関するものである。
【従来の技術とその問題点】
【０００２】  包装用袋において、包装用袋部材によって形成され、かつお互いに重ね合わされた、第１パネルと第２パネルを備え、これら第１パネルおよび第２パネルはそれらの両側部どうし、および、底部が接続されてた包装用袋であって、
第１パネルの上部を第２パネルの上部より上方に延ばし蓋部設ける。
上記第１パネルの蓋部内面に粘着剤を塗布する、さらに、塗布面に剥離テープを貼り付けた包装用袋は、従来からよく知られている。
【０００３】  上記蓋部、および、底部を折り曲げられた包装用袋も多く知られている。
【０００４】  上記包装用袋の封緘は、上記蓋部を折り曲げて、剥離テープを剥がし、第２パネルに圧着させて封緘する手段を用いられている。
【０００５】  上記記包装用袋では、封緘時に第２パネルを折り曲げ圧着させる作業が必要である。
【０００６】  上記作業において、圧着力不足のため、自然開封するため、挿入商品がこぼれだすことが多くある。
【発明が解決しょうとする課題】
【０００７】  本発明の包装用袋は、封緘時の第２パネルの折り曲げ作業の省略、封緘時の圧着力不足のため自然開封を防ぐと共に、挿入商品のこぼれだすことを無くすることを最大の課題とする。
【０００８】  封緘手段として、粘着剤塗布面に貼り付けられた剥離テープを剥がし、蓋部折り曲げて、粘着剤塗布面を袋部外面に圧着させて封緘する。
上記作業において、蓋部を折り曲げて圧着させる作業を無くすることを課題とする。
【０００９】  開閉手段として、容易に開閉を行うことを課題とする、さらに、開閉自在を課題とする。
【発明が課題を解決するための手段】
【００１０】  上記の課題を解決するため、本発明では、次の技術的手段を講じている。
【００１１】  包装用袋部材によって形成された、第１パネルと第２パネルが、互いに重ね合わされた状態で両側部どうし、および、底部が接続された包装用袋であって、
第１パネルの上部を第２パネルの上部より上方に延ばし、蓋部第３パネルを設ける。
上記第３パネルを第１パネルと第２パネルの間に挟まる方法で折り曲げられた包装用袋において、
上記第３パネルの上部外面に袋幅方向に粘着剤を塗布する、さらに、粘着剤塗布面に剥離テープを貼り付ける。
【００１２】  開閉自在の手段として、第３パネルに粘着剤を使用する。
【００１３】  挿入商品のこぼれだしを無くするために、第１パネルと第３パネルの間に商品を納める。
【発明を実施するための最良の形態】
【００１４】  以下、本発明を実施するための最良の形態について、図面を参照して具体的に説明する。【００１５】  包装用袋において、包装用袋部材によって形成され、かつお互いに重ね合わされた、第１パネル１と第２パネル２を備え、これら第１パネル１および第２パネル２はそれらの両側部どうしと、底部どうしが接続されて袋状とされてた包装用袋であって、【００１６】  第１パネル１の上部を第２パネル２の上部より上方に延ばし蓋部第３パネル３を設ける。【００１７】  上記第３パネル３の上部外面に袋幅方向に粘着剤を塗布する、さらに、粘着剤塗布面４に剥離テープ５を貼り付ける、【００１８】  第１パネル１と第３パネル３の境目に開閉用の切り取りミシン目６を形成されている。【００１９】  上記第３パネル３を、第１パネル１と第２パネル２の間に挟み込む方法で折り曲げられ、
第３パネル３に粘着剤を塗布し、塗布面に剥離テープを貼り付けたことを特徴とする包装用袋。
【発明の効果】
【産業上の利用可能性】
【００２０】  本発明は、封緘時に、挿入商品を第２パネル剥離テープと第３パネルの間より挿入する。挿入商品は第１パネルと第３パネルの間に収まる、よって、挿入商品が輸送中に自然開封しても、袋内よりこぼれ出すことがない。【００２１】  商品挿入後、第３パネルの粘着剤塗布面の剥離テープを剥がし、第２パネルの面に圧着させることによって封緘される。【００２２】  よって、蓋部を封緘時に折り曲げる必要がない、塗布面を圧着させるだけで封緘ができる、蓋部の折り曲げ作業が省略される。【００２３】  さらに、封緘後は第３パネルが第１パネルと第２パネルに挟まれているため、自然開封することがない。【００２４】  開封時は、第３パネルに粘着剤を使用していることによって、何度でも開閉自在である。【００２５】  さらに、開閉用切り取りミシン目が形成されていることによつて、ミシン目より開封することも出来る。【００２６】  封緘後、挿入商品が第１パネルと第３パネルの間に収まっているため、商品が袋外にこぼれ出すことをがない。【００２７】  上記第３パネルの挟み込み方法は考えられるが、第３パネルに粘着剤を塗布して剥離テープを貼り付ける考案は容易に発案されない発明である。【００２８】  第３パネルの粘着剤塗布面を、第２パネルの内面に塗布し、剥離テープを貼り付ける場合も、本発明の請求項範囲に属す。
【図面の簡単な説明】
【００２９】
【図１】本発明の一例を示す平面図である。
【図２】本発明の包装用袋の断面図である。
【図３】本発明の包装用袋の商品挿入後の断面図である。
【符号の説明】
【００３０】１  袋部材の第１パネル
２  袋部材の第２パネル
３  蓋部の第３パネル
４  粘着剤塗布面
５  剥離テープ
６  切り取りミシン目部
７  挿入商品
【図１】
2012101853.tif 000003
【図２】
2012101853.tif 000004
【図３】
2012101853.tif 000005
(57)【要約】【課題】この発明は、流し台のコーナー屑入れに取っ手を付け、衛生の向上と、使いやすさを提供する。【解決手段】コーナー屑入れの中央コーナーに取っ手を付け、直接汚れ部分に触れなくした、取っ手付きコーナー屑入れである。【選択図】図１
2012101940.tif 000002
【特許請求の範囲】
【請求項１】
流し台で使うコーナーの屑入れ（１）のセンターコーナーに、取って（２）を付けた、取って付きコーナー屑入れ。
【発明の詳細な説明】
【技術分野】
【０００１】  この発明は、流し台のコーナー屑入れに取っ手を付けた、取っ手付きコーナー屑入れに関するものである。
【背景技術】
【０００２】  従来、屑入れから生ごみ等を捨てるときは、屑入れの汚れている部分に直接触れなければなかった。
【先行技術文献】
【０００３】
【特許文献１】
【非特許文献１】
【発明の概要】
【発明が解決しようとする課題】
【０００４】  次のような問題点が生じていた。
（イ）生ごみ等を捨てる時に、直接汚れている部分に触れるため、料理中などそのた          びに手をきれいに洗わなければならなかった。
本発明は、以上の問題点を解決したものである。
【課題を解決するための手段】
【０００５】  コーナー屑入れ（１）の中央コーナーに取っ手（２）をつけ、直接汚れ部分に触れなくした取っ手付きコーナー屑入れである。
【発明の効果】
【０００６】  したがって、流し台を使う際、取っ手付きコーナー屑入れにより何度も生ごみ等を片付けながら、作業ができる。
【図面の簡単な説明】
【０００７】
【図１】  本発明の斜視図である。
【発明を実施するための形態】
【０００８】  以下、本発明の実施の形態について説明をする。
（イ）流し台で使うコーナー屑入れ（１）のセンターコーナーに、取っ手（２）を付ける。
以下、使用方法について説明する。
従来は屑入れ（１）に触れて作業していたが、取っ手（２）を付けることにより、これ  を持って作業できるため、衛生的で使いやすくなる。
【符号の説明】
【０００９】  １  コーナー屑入れ
２  取っ手
【図１】
2012101940.tif 000003
(57)【要約】【課題】２気筒回転式圧縮機では中板中心部に大きな空間が形成されてしまうため、起動直後や低速運転時に上部シリンダや主端板側へオイルを供給するのに時間がかかってしまうため、オイル不足による摩耗の進行や性能低下を招く原因となる。【解決手段】中板中心部には中板中心穴の空間容積を埋める形に部品が組みこまれ、中板中心部分の空間容積は大幅に減少しているため運転直後や低速運転時にも上部シリンダや主端板側に素早く十分なオイル量を供給することができる。【選択図】図２
2012107517.tif 000002
【特許請求の範囲】
【請求項１】
密閉容器内に電動機と、前記電動機によって駆動されるクランク軸と、クランク軸にて駆動される２つのローラと、このローラを収納する２つのシリンダと、このシリンダとローラに当接しシリンダ内を吸入室と圧縮室とに仕切る２つの仕切り板と、両シリンダに当接してガスを圧縮する圧縮室を上下に分ける中板と、シリンダの両端面に当接するとともにクランク軸を保持する軸受けを兼ねる主端板と補助端板とを有し、中板中心部には中板中心穴の空間容積を埋める形に部品が組み込まれている２気筒回転式圧縮機。
【請求項２】
圧縮されるガスが、塩素を含まない代替冷媒である請求項１に記載の２気筒回転式圧縮機。
【請求項３】
圧縮されるガスが、二酸化炭素などの自然冷媒である請求項１または２に記載の２気筒回転式圧縮機。
【発明の詳細な説明】
【技術分野】
【０００１】
本発明は、冷暖房、あるいは冷蔵庫等の冷却装置に用いられる回転式電動圧縮機に関する。
【背景技術】
【０００２】
従来より、冷暖房あるいは冷蔵庫等の冷却装置には２気筒回転式圧縮機が用いられている。
【０００３】
この種の圧縮機を図３に示す。ロータリ型の２気筒回転式圧縮機では、密閉容器１０１の内部に圧縮機構１０２を駆動する電動機１０３の固定子１０４が固定され、この電動機１０３の回転子１０５に圧縮機構１０２を駆動するクランク軸１０６が結合されている。
【０００４】
圧縮機構１０２は、クランク軸１０６によって駆動されるローラ１０７と、円筒状気筒であるシリンダ１０８と、ローラ１０７に当接してシリンダ１０８内を吸入室と圧縮室に仕切る仕切り板（図示せず）と、両シリンダに当接して圧縮室を上下に分ける中板１１３および上下のシリンダ１０８の両端面を保持する端板にて構成されている。ここで端板はクランク軸１０６を保持する軸受けも兼ねる主端板１１０と補助端板１１１とにより上下から挟み込むように配設されている。シリンダ１０８には吸入孔１１２が具備されている。
【先行技術文献】
【特許文献】
【０００５】
【特許文献１】特開２００４−２７８４１６号公報
【発明の概要】
【発明が解決しようとする課題】
【０００６】
上記に述べた従来の圧縮機では、中板の中心穴はクランク軸径より大きくする必要があり、かつ密閉容器の強度を確保するために中板はある程度以上の高さが必要なため、中板の中心穴部分には大きな空間が形成されてしまう。
【０００７】
クランク軸下部から吸い上げられたオイルはオイル経路や各部の隙間を通って圧縮機構内部へ浸透していくが、上部シリンダや主端板側に十分なオイルを供給するためにはこの中板中心穴の空間容積を満たす必要がある。このため、運転開始直後や低速運転時には上部シリンダや主端板側へのオイル供給に時間がかかってしまい潤滑が不十分になりやすくなる。したがって、潤滑オイルが行き届かず摩耗が進行してしまったり、各隙間においてオイルによる十分なシール性能が得られずに漏れによる性能低下を招く原因となっていた。
【０００８】
本発明はこのような従来の課題を解決するものであり、運転開始直後や低速運転時にも圧縮室に十分なオイル量を供給することでオイル量の不足を無くし、性能および信頼性が共に高い高性能な２気筒回転式圧縮機を提供することを目的とする。
【課題を解決するための手段】
【０００９】
上記課題を解決するために本発明は、中板中心部には中板中心穴の空間容積を埋める形に部品が組み込まれている構成とした。
【発明の効果】
【００１０】
本発明の２気筒回転式圧縮機は、中板中心部の空間容積を縮小することができるので、運転直後や低速運転時にも上部シリンダや主端板側に素早く十分なオイル量を供給することができるようになり、性能および信頼性が共に高い高性能な２気筒回転式圧縮機を提供することができる。
【図面の簡単な説明】
【００１１】
【図１】本発明の実施例を示す圧縮機の断面図
【図２】本発明の構成を示す図
【図３】従来の圧縮機の断面図
【発明を実施するための形態】
【００１２】
第１の発明は、中板中心部には中板中心穴の空間容積を埋める形に部品が組み込まれている。これにより、中板中心部の空間容積を縮小することができ、運転直後や低速運転時にも上部シリンダや主端板側に素早く十分なオイル量を供給することができる。
【００１３】
また、これらの効果は冷凍サイクルの圧力が高く圧縮機構への負荷が大きくなる代替冷媒や自然冷媒で顕著に現れる。
【００１４】
以下、本発明の実施例について図面を参照して説明する。
【００１５】
（実施の形態１）
図１に示すように、２気筒回転式圧縮機では、密閉容器１の内部に圧縮機構２を駆動する電動機３の固定子４が固定され、この電動機３の回転子５に圧縮機構２を駆動するクランク軸６が結合されている。
【００１６】
圧縮機構２は、クランク軸６によって駆動されるローラ７と、円筒状気筒であるシリンダ８と、ローラ７に当接してシリンダ８内を吸入室と圧縮室に仕切る仕切り板（図示せず）と、両シリンダに当接して圧縮室を上下に分ける中板１３および上下のシリンダ８の両端面を保持する端板にて構成されている。ここで端板はクランク軸６を保持する軸受けも兼ねる主端板１０と補助端板１１とにより上下から挟み込むように配設されている。シリンダ８には吸入孔１２が具備されている。
【００１７】
ここで、中板１３の中心部には中板中心穴の空間容積を埋める形に部品１４が組み込まれており、中板中心部分の空間容積は大幅に減少している。また、この構成は図２に示すように２個のパーツを中板中心部に圧入する等によって実現することが可能である。
【産業上の利用可能性】
【００１８】
以上のように、本発明にかかる２気筒回転式圧縮機は、中板中心部の空間容積を縮小することができるので、運転直後や低速運転時にも上部シリンダや主端板側に素早く十分なオイル量を供給することができるようになり、性能および信頼性が共に高い高性能な２気筒回転式圧縮機を提供することが可能となるので、除湿機、給湯機等のヒートポンプ搭載機器にも適用できる。
【符号の説明】
【００１９】
１  密閉容器
３  電動機
７  ローラ
８  シリンダ
１０  主端板
１１  補助端板
１３  中板
１０１  密閉容器
１０３  電動機
１０７  ローラ
１０８  シリンダ
１１０  主端板
１１１  補助端板
１１３  中板
【図１】
2012107517.tif 000003
【図２】
2012107517.tif 000004
【図３】
2012107517.tif 000005
(57)【要約】      （修正有）【課題】回転する力に大きな負荷がかかった場合、回転する力を強くさせる装置としては、ギア等を用いて互いの回転数の差を変化させる方法（変速機）がとられていた。しかし、この方法によって出力回転の力を強化させると、その強化比率に反比例して、出力回転速度が遅くなるという欠点が生じていた。回転の抵抗を力に変えることができる装置を提供する。【解決手段】回転の負荷（抵抗）に応じて、回転する力を増幅できれば、原動力の馬力アップもせずに、回転速度を維持することができる。そのために角度７２度で５辺同じの正５角形の回転軸１の外側を、角度７２度で５辺同じの正５角形２の外受で包囲した構造で、回転の力を抵抗に変える回転動力増幅装置である。【選択図】図１
2012107738.tif 000002
【特許請求の範囲】
【請求項１】
角度７２度で５辺同じの正５角形の回転軸（１）の外側を、角度７２度で５辺同じの正５角形の外受（２）で包囲した回転動力増幅装置。
【発明の詳細な説明】
【技術分野】
【０００１】  この発明は、回転の抵抗（負荷）を力に変換し、動力を増幅するためのものであり、角度７２度で５辺同じの正５角形の回転軸（１）の外側を、角度７２度で５辺同じの正５角形の外受（２）で包囲した構造の回転動力増幅装置に関する。
【背景技術】
【０００２】  従来、回転する力に大きな負荷がかかった場合、回転する力を強くさせる装置としては、ギア等を用いて互いの回転数の差を変化させる方法（変速機）が取られていた。しかし、この方法によって出力回転の力を強化させると、その強化比率に反比例して、出力回転速度が遅くなるという欠点が生じていた。
【発明の開示】
【発明が解決しようとする課題】
【０００３】  変速機で回転する力を強くさせると、その増加比率に反比例して、回転速度が遅くなることから、力を強化してなお回転速度も維持するためには原動力の馬力アップが必要であった。しかし、回転の負荷（抵抗）に応じて、回転する力を増幅できれば、原動力の馬力アップもせずに、同じ回転速度を維持することができる。そのために回転の抵抗を力に変える装置として、本発明はなされたものである。
【課題を解決するための手段】
【０００４】  角度７２度で５辺同じの正５角形の回転軸（１）の外側を、角度７２度で５辺同じの正５角形の外受（２）で包囲した構造の回転動力増幅装置である。
【発明の効果】
【０００５】  回転軸への負荷（抵抗）に応じて回転の力が増幅されるので、原動力が少なくてすむ。
【発明を実施するための最良の形態】
【０００６】  角度７２度で５辺同じの正５角形の回転軸（１）の外側を、角度７２度で５辺同じの正５角形の外受（２）で包囲した構造である。【０００７】  回転と力と抵抗は別である。この装置は、自らは回転しないし、加速もしない。外部動力装置から回転軸（１）へ回転運動を受けることにより、抵抗を力に変え、力のみを増幅（発生）させるものである。【０００８】  回転軸（１）が、回転方向（右、左）へ前進する。このことにより回転軸（１）の外輪と、外受（２）の内輪は、力学的距離が反対になろうとする作用が起きる。抵抗を受けた外受（２）は、外に逃げる力を角度で回転軸（１）の方へ増幅させ、回転の力となる。角度７２度で５辺同じの正５角形の軸が回って軸に力がくる。【０００９】  回転することにより、回転軸（１）の外輪と外受（２）の内輪のあたる位置が変わり、５つの辺と角度の芯が立ったり緩んだりして、力が生じたり消えたりしながら、回転軸（１）の上を力が走る状態となり、無限に近い力が回転方向に起きる。【００１０】  この回転動力増幅装置を様々な回転軸に連動させると、回転動力が増幅されて原動力の供給を軽減できる。
【産業上の利用可能性】
【００１１】  現在使用されている様々な回転動力の補助装置として、あらゆるものに利用できる。
【図面の簡単な説明】
【００１２】
【図１】  本発明の正面断面図である。
【図２】  本発明の側面断面図である。
【符号の説明】１，角度７２度で５辺同じの正５角形の回転軸
２，角度７２度で５辺同じの正５角形の外受
【図１】
2012107738.tif 000003
【図２】
2012107738.tif 000004